(57)【要約】【課題】収納ボックスに掃除機を収納した状態で塵埃を収集することができる塵埃収集装置を提供することを課題とする。【解決手段】  電動送風機の吸引によって塵埃を集塵する縦型電気掃除機２と、該縦型電気掃除機２を収納する収納ボックス３とを備え、前記縦型電気掃除機２を前記収納ボックス３に収納した状態で、前記縦型電気掃除機２の吸気口１２を前記収納ボックス３に形成された開口部１０に臨ませ、電動送風機の駆動によって前記開口部１０から塵埃を吸引するようにした。【選択図】  図３
2007190110.tif 000002
【特許請求の範囲】
【請求項１】
電動送風機の吸引によって塵埃を集塵する電気掃除機と、該電気掃除機を収納する収納ボックスとを備え、
前記電気掃除機を前記収納ボックスに収納した状態で、前記電気掃除機の吸気口を前記収納ボックスに形成された開口部に臨ませ、前記電動送風機の駆動によって前記開口部から塵埃を吸引することを特徴とする塵埃収集装置。
【請求項２】
前記収納ボックス内に前記電気掃除機を位置決めする位置決め機構を設けたことを特徴とする請求項１記載の塵埃収集装置。
【請求項３】
前記開口部を前記収納ボックスの底面に形成し、前記開口部と前記収納ボックスの接地面との間に空間を形成したことを特徴とする請求項１記載の塵埃収集装置。
【請求項４】
前記開口部の近傍に前記収納ボックス底面から前記収納ボックスの接地面に延びるリブを形成したことを特徴とする請求項３記載の塵埃収集装置。
【請求項５】
前記電気掃除機を掃除機本体に対して屈曲自在に設けられたハンドルを有する縦型電気掃除機とし、前記縦型電気掃除機は、前記ハンドルを屈曲した状態で前記収納ボックスに収納されることを特徴とする請求項３記載の塵埃収集装置。
【発明の詳細な説明】
【技術分野】
【０００１】
本発明は、掃除機と掃除機を収納する収納ボックスを備えている塵埃収集装置に関する。
【背景技術】
【０００２】
従来、掃除を終了した後に掃除機を収納ボックスに収納するのものが知られているが、この種の構成においては、収納ボックスに掃除機を収納した状態では、掃除機で塵埃を収集することができないという課題があった。
【特許文献１】特開昭５０−１１９４６０号公報（Ａ４７Ｌ  ９／００）
【発明の開示】
【発明が解決しようとする課題】
【０００３】
本発明は上記課題に鑑みなされたもので、収納ボックスに掃除機を収納した状態で塵埃を収集することができる塵埃収集装置を提供することを課題とする。
【課題を解決するための手段】
【０００４】
上記課題を解決するための手段は、電動送風機の吸引によって塵埃を集塵する電気掃除機と、該電気掃除機を収納する収納ボックスとを備え、前記電気掃除機を前記収納ボックスに収納した状態で、前記電気掃除機の吸気口を前記収納ボックスに形成された開口部に臨ませ、前記電動送風機の駆動によって前記開口部から塵埃を吸引することを特徴とする。
【０００５】
また、前記収納ボックス内に前記電気掃除機を位置決めする位置決め機構を設けている。
【０００６】
また、前記開口部を前記収納ボックスの底面に形成し、前記開口部と前記収納ボックスの接地面との間に空間を形成してもよい。
【０００７】
また、前記開口部の近傍に前記収納ボックス底面から前記収納ボックスの接地面に延びるリブを形成してもよい。
【０００８】
また、前記電気掃除機を掃除機本体に対して屈曲自在に設けられたハンドルを有する縦型電気掃除機とし、前記縦型電気掃除機は、前記ハンドルを屈曲した状態で前記収納ボックスに収納されている。
【発明の効果】
【０００９】
本発明の請求項１によれば、前記電気掃除機を前記収納ボックスに収納した状態で、前記電気掃除機の吸気口を前記収納ボックスに形成された開口部に臨ませているので、前記電動送風機の駆動によって前記開口部から塵埃を吸引することができる等の効果を奏する。
【００１０】
本発明の請求項２によれば、位置決め機構を設けることによって、前記吸気口と前記開口部との位置ずれを防止でき、確実に塵埃を前記開口部から収集することができる等の効果を奏する。
【００１１】
本発明の請求項３によれば、前記開口部を外から見え難い位置に形成しているので外観を向上させることができるとともに、前記収納ボックスの接地面上の塵埃を隙間を介して吸い寄せることができ、塵埃の収集効率を高めることができる等の効果を奏する。
【００１２】
本発明の請求項４によれば、前記リブを形成することによって、前記リブが吸い寄せられる塵埃を前記開口部近傍で堰き止めることができるので、塵埃の収集効率を高めることができる等の効果を奏する。
【００１３】
本発明の請求項５によれば、収納される掃除機を屈曲自在に設けられたハンドルを有する縦型電気掃除機としているので、収納時には前記ハンドルを屈曲して収納できるので、前記収納ボックスの高さを低くすることができる等の効果を奏する。
【発明を実施するための最良の形態】
【００１４】
本発明の第１の実施形態を図１乃至図５に基づいて以下に説明する。
【００１５】
図１は、本願発明の第１の実施形態における塵埃収集装置を前方（正面）から見た前面外観図である。図２は、同塵埃収集装置の側面断面図である。図３は、同塵埃収集装置で塵埃を収集する状態を示す側面断面図である。図４は、同塵埃収集装置の収納ボックスから電気掃除機を取り出す状態を示す図である。図５は、同塵埃収集装置の収納ボックスから電気掃除機を取り出して掃除の状態を示す図である。
【００１６】
１は、縦型電気掃除機２と、該縦型電気掃除機２を収納する矩形状の収納ボックス３とからなる塵埃収集装置であり、前記縦型電気掃除機２は、電動送風機及び集塵部（いずれも図示しない）を有する掃除機本体４と、該掃除機本体４下部に装着される吸込具５と、該吸込具５の後方両側に設けられた車輪と、前記掃除機本体４の上部に屈曲自在に設けられたハンドル７とから構成されている。
【００１７】
８は、前記収納ボックス３の前面開口をする前扉で、手掛部９に手を掛けて前記前扉８を前方に引くと、図４に示すように前記前扉８が開き、前記収納ボックス３に収納された前記縦型電気掃除機２を取り出すことができるようになっている。
【００１８】
１０は、前記収納ボックス３の底面１１前方側に形成された開口部で、前記縦型電気掃除機２が前記収納ボックス３に収納された状態では、前記吸込具５の底面に形成された吸気口１２が前記開口部１０に臨むようになっている。また、前記開口部１０は、前記収納ボックス３の接地面Ｐから凹むように形成されているので、図２に示すように前記開口部１０と前記収納ボックス３の接地面Ｐとの間には空間Ｓが形成されるようになっている。よって、前記縦型電気掃除機２が前記収納ボックス３に収納された状態でも、前記縦型電気掃除機２を起動させると、接地面Ｐ上にある塵埃は電動送風機（図示しない）の吸引によって空間Ｓに吸い寄せられ、更に前記開口部１０を通過して前記吸気口１２へ吸い込まれ、前記縦型電気掃除機２の集塵部（図示しない）に収集されるようになっている。
【００１９】
１３、１４は、前記縦型電気掃除機２を前記収納ボックス３内で所定の位置に位置決めするために設けられた２つのストッパーで、一方の前記ストッパー１３は、前記収納ボックス３の底面１１から上方に向かって延びるように形成され、前記車輪６に当接させて前記縦型電気掃除機２の下方部分を位置決めし、他方の前記ストッパー１４は、前記収納ボックス３の後面から前方に向かって延びるように形成され、前記掃除機本体４の上方に設けられた円弧状の把持部１５に当接させ、前記縦型電気掃除機２の上方部分を位置決めするようになっている。よって、２つの前記ストッパー１３、１４にて前記縦型電気掃除機２を前記収納ボックス３の所定の位置に収納することができるため、前記開口部１０と前記吸込具５の吸気口１２との位置ずれを防止できる構成となっている。
【００２０】
１６は、前記開口部１０の後方縁部に前記収納ボックス３の底面１１から接地面Ｐに向けて延びるように形成されたリブで、図２に示すように先端が前方に向けて傾斜している。該リブ１６を形成することによって、図３に示すように吸い寄せられた塵埃を前記開口部１０近傍で堰き止めることができるので、隙間Ｓ内で塵埃を収集し収集効率を高めることができる構成となっている。
【００２１】
１７は、前記前扉８に形成され、且つ前記手掛部９の下側に形成されたスイッチ操作用の挿入孔で、該挿入孔１７は、前記縦型電気掃除機２を前記収納ボックス３に収納し前記前扉８を閉じた状態の時、前記縦型電気掃除機２の電動送風機を駆動させるスイッチ１８と略同じ高さの位置に形成されているので、図２に示すように前記挿入孔１７から指を挿入し前記スイッチ１８のＯＮ・ＯＦＦ操作が可能であり、使用勝手の良い構成となっている。
【００２２】
１９は、前記収納ボックス３に装着された外部電源コードで、一端は商用電源と接続でき、他端には接続部２０が設けられ、前記縦型電気掃除機２に装着された本体コード２１と接続できるようになっている。
【００２３】
上記の塵埃収集装置１の動作について説明すると、前記縦型電気掃除機２を前記収納ボックス３に収納した状態で、前記スイッチ１８をＯＮすると、電動送風機が起動し吸引力により接地面Ｐ上の塵埃は前記空間Ｓに吸い寄せられる。吸い寄せられた塵埃は、前記リブ１６で堰き止められて前記空間Ｓ内に収集され、前記開口部１０及び前記吸気口１２を通って前記縦型電気掃除機２の集塵部に収集される。このとき前記リブ１６が傾斜しているので塵埃を前記吸気口１２へ吸い上げ易くなっており、塵埃の吸い残しを抑制することができる。そして、前記収納ボックス３から離れた位置にある塵埃については、箒やモップ等で前記空間Ｓの近傍に集めておけば自動的に前記吸気口１２へ吸い上げられ収集することができ、掃除効率が向上する。また、前記開口部１０が前記収納ボックス３の底面１１に形成されているので、前記開口部１０が外から見え難く前記塵埃収集装置１の外観を向上させることができる。また、前記収納ボックス３は矩形状の箱体なので、前記塵埃収集装置１を幅の狭い隙間に設置することができ、インテリア性も向上させることができる。
【００２４】
前記縦型電気掃除機２を単独で使用する場合は、図５に示すように前記前扉８を開いて前記収納ボックス３から前記縦型電気掃除機２を取り出せば、任意の場所に移動して掃除することでき掃除効率が向上する。また、前記収納ボックス３に車輪を設けておけば、前記塵埃収集装置１を簡単に移動することができる。
【００２５】
次に、本発明の第２の実施形態を図６乃至図８に基づいて以下に説明する。
【００２６】
図６は、本願発明の第２の実施形態における塵埃収集装置を前方（正面）から見た前面外観図である。図７は、同塵埃収集装置で塵埃を収集する状態を示す側面断面図である。図８は、同塵埃収集装置の収納ボックスから電気掃除機を取り出す状態を示す図である。尚、前述した第１の実施形態と同一構成については同一番号を付与して説明を省略する。
【００２７】
第１の実施形態では、前記縦型電気掃除機２の前面が前記収納ボックス３の前面開口側になるよう収納し、且つ前記ハンドル７を延ばした状態で収納したが、第２の実施形態では、図７及び図８に示すように前記縦型電気掃除機２の後面が前記収納ボックス３の前面開口側になるよう収納され、且つ前記ハンドル７を屈曲させた状態で収納される。この時、前記ストッパー１３は前記吸込具５の前面を当接させて前記縦型電気掃除機２の位置決めをしている。また、前記挿入孔１７から前記スイッチ１８が突出しているので、この収納状態（ハンドル７を屈曲した状態）でも第１の実施形態と同様、前記スイッチ１８のＯＮ・ＯＦＦ操作が可能であり、使用勝手の良い構成となっている。
【００２８】
上記の構成、即ち前記ハンドル７を屈曲した状態で前記収納ボックス３に収納することによって、前記収納ボックス３の高さを低くすることができインテリア性を更に向上させることができる。また、前記縦型電気掃除機２を単独で使用する場合、掃除の進行方向の状態で前記収納ボックス３から前記縦型電気掃除機２を取り出すことができるので、使用者は前記縦型電気掃除機２を持ち替える動作が不要であり、使い勝手を向上させることができる。
【図面の簡単な説明】
【００２９】
【図１】図１は、本願発明の第１の実施形態における塵埃収集装置を前方（正面）から見た前面外観図である。
【図２】図２は、同塵埃収集装置の側面断面図である。
【図３】図３は、同塵埃収集装置で塵埃を収集する状態を示す側面断面図である。
【図４】図４は、同塵埃収集装置の収納ボックスから電気掃除機を取り出す状態を示す図である。
【図５】図５は、同塵埃収集装置の収納ボックスから電気掃除機を取り出して掃除の状態を示す図である。
【図６】図６は、本願発明の第２の実施形態における塵埃収集装置を前方（正面）から見た前面外観図である。
【図７】図７は、同塵埃収集装置で塵埃を収集する状態を示す側面断面図である。
【図８】図８は、同塵埃収集装置の収納ボックスから電気掃除機を取り出す状態を示す図である。
【符号の説明】
【００３０】
１        塵埃収集装置
２        縦型電気掃除機
３        収納ボックス
１２        吸気口
１３        ストッパー（位置決め機構）
１４        ストッパー（位置決め機構）
１１        底面
１６        リブ
４        掃除機本体
７        ハンドル
【図１】
2007190110.tif 000003
【図２】
2007190110.tif 000004
【図３】
2007190110.tif 000005
【図４】
2007190110.tif 000006
【図５】
2007190110.tif 000007
【図６】
2007190110.tif 000008
【図７】
2007190110.tif 000009
【図８】
2007190110.tif 000010